【手続補正書】
【提出日】平成18年11月17日(2006.11.17)
【手続補正１】
【補正対象書類名】特許請求の範囲
【補正対象項目名】全文
【補正方法】変更
【補正の内容】
【特許請求の範囲】
【請求項１】
移動局を位置推定する方法であって、
前記移動局のホームネットワークプロバイダ以外の１つ以上のネットワークプロバイダに属しかつ１つ以上の識別可能な基地局との通信を実質的に現在実行できる１つ以上の無線チャネルをロギングすることと、
なお、このロギングすることは、
前記移動局の直前に選択されていない無線モードを選択することと、そして
前記１つ以上の識別可能な基地局との通信を実行できる１つ以上の直前に選択されていない無線モードチャネルをロギングすることと、を含み、前記ロギングすることは、前記チャネルが属する前記１つ以上のネットワークプロバイダと関係ない；
そして
前記移動局の地理的位置を、前記移動局のホームネットワークプロバイダ以外の１つ以上のネットワークプロバイダに属する１つ以上の無線チャネルを用いて確立することと；
を含む方法。
【請求項２】
前記移動局のホームネットワークプロバイダは、
実質的に恒久的に割当てられたホームネットワークプロバイダと実質的に一時的に割当てられたローミングネットワークプロバイダとを含むネットワークプロバイダ群から選択されたネットワークプロバイダ、
を含む請求項１に記載の方法。
【請求項３】
前記移動局の実質的に全ての無線モードが選択されるまで、前記選択すること及びロギングすることを繰り返すこと、
をさらに含む請求項１に記載の方法。
【請求項４】
前記直前に選択されていない無線モードは、ＡＭＰＳモード、ＦＤＭＡモード、ＴＤＭＡモード、ＧＳＭモード、ＷＣＤＭＡモード、ＨＤＲモードまたはＣＤＭＡモードのうちの１つである請求項１に記載の方法。
【請求項５】
前記移動局の地理的位置を、前記移動局のホームネットワークプロバイダ以外の１つ以上のネットワークプロバイダに属する１つ以上の無線チャネルを用いて確立することは、
識別可能な基地局と前記移動局との間の通信を実行できるチャネル上で伝送の伝搬時間を判断すること、
を含む請求項１に記載の方法。
【請求項６】
前記移動局の地理的位置を、前記移動局のホームネットワークプロバイダ以外の１つ以上のネットワークプロバイダに属する１つ以上の無線チャネルを用いて確立することは、
少なくとも１つの識別可能な基地局の地理的位置を判断すること、
を含む請求項１に記載の方法。
【請求項７】
前記少なくとも１つの識別可能な基地局の地理的位置を判断することは、
前記移動局のホームネットワークプロバイダから、前記少なくとも１つの識別可能な基地局の前記地理的位置を受信すること、
を含む請求項６に記載の方法。
【請求項８】
前記少なくとも１つの識別可能な基地局の地理的位置を判断することは、
前記少なくとも１つの識別可能な基地局のネットワークプロバイダから、前記少なくとも１つの識別可能な基地局の前記地理的位置を受信すること、
を含む請求項６に記載の方法。
【請求項９】
前記少なくとも１つの識別可能な基地局の地理的位置を判断することは、
信頼の置ける第三者を介して、前記少なくとも１つの識別可能な基地局の前記地理的位置を受信すること、
を含む請求項６に記載の方法。
【請求項１０】
前記移動局の地理的位置を、前記移動局のホームネットワークプロバイダ以外の１つ以上のネットワークプロバイダに属する１つ以上の無線チャネルを用いて確立することは、
前記移動局により識別可能な１つ以上の基地局の識別を位置判断構成要素に送信することと、そして
前記位置判断構成要素から前記移動局の地理的位置を受信することと、
を含む請求項１に記載の方法。
【請求項１１】
前記位置判断構成要素は、信頼の置ける第三者からなる請求項１０に記載の方法。
【請求項１２】
前記移動局は、マルチモード無線デバイスを備える請求項１に記載の方法。
【請求項１３】
移動局を位置推定する方法であって、
前記移動局のホームネットワークプロバイダ以外の１つ以上のネットワークプロバイダに属しかつ１つ以上の識別可能な基地局との通信を実質的に現在実行できる１つ以上の無線チャネルをロギングすること、
を含み、
前記１つ以上の無線チャネルをロギングすることは、
前記移動局の直前に選択されていない無線周波数帯域を選択することと；そして
前記１つ以上の識別可能な基地局との通信を実行できる１つ以上の直前に選択されていない無線周波数帯域チャンネルをロギングすることと、なお、前記ロギングすることは、前記チャネルが属する前記１つ以上のネットワークプロバイダと関係ない；
を含む、
方法。
【請求項１４】
前記移動局の実質的に全ての無線周波数帯域が選択されるまで、前記選択すること及びロギングすることを繰り返すこと、
をさらに含む請求項１３に記載の方法。
【請求項１５】
前記移動局のホームネットワークプロバイダは、
実質的に恒久的に割当てられたホームネットワークプロバイダと実質的に一時的に割当てられたローミングネットワークプロバイダとを含むネットワークプロバイダ群から選択されたネットワークプロバイダ、
を含む請求項１３に記載の方法。
【請求項１６】
前記移動局の地理的位置を、前記移動局のホームネットワークプロバイダ以外の１つ以上のネットワークプロバイダに属する１つ以上の無線チャネルを用いて確立することは、
識別可能な基地局と前記移動局との間の通信を実行できるチャネル上で伝送の伝搬時間を判断すること、
を含む請求項１３に記載の方法。
【請求項１７】
前記移動局の地理的位置を、前記移動局のホームネットワークプロバイダ以外の１つ以上のネットワークプロバイダに属する１つ以上の無線チャネルを用いて確立することは、
少なくとも１つの識別可能な基地局の地理的位置を判断すること、
を含む請求項１３に記載の方法。
【請求項１８】
前記少なくとも１つの識別可能な基地局の地理的位置を判断することは、
前記移動局のホームネットワークプロバイダから、前記少なくとも１つの識別可能な基地局の前記地理的位置を受信すること、
を含む請求項１７に記載の方法。
【請求項１９】
前記少なくとも１つの識別可能な基地局の地理的位置を判断することは、
前記少なくとも１つの識別可能な基地局のネットワークプロバイダから、前記少なくとも１つの識別可能な基地局の前記地理的位置を受信すること、
を含む請求項１７に記載の方法。
【請求項２０】
前記少なくとも１つの識別可能な基地局の地理的位置を判断することは、
信頼の置ける第三者を介して、前記少なくとも１つの識別可能な基地局の前記地理的位置を受信すること、
を含む請求項１７に記載の方法。
【請求項２１】
前記移動局の地理的位置を、前記移動局のホームネットワークプロバイダ以外の１つ以上のネットワークプロバイダに属する１つ以上の無線チャネルを用いて確立することは、
前記移動局により識別可能な１つ以上の基地局の識別を位置判断構成要素に送信することと、そして
前記位置判断構成要素から前記移動局の地理的位置を受信することと、
を含む請求項１３に記載の方法。
【請求項２２】
前記位置判断構成要素は、信頼の置ける第三者からなる請求項２１に記載の方法。
【請求項２３】
前記移動局は、マルチモード無線デバイスを備える請求項１３に記載の方法。
【請求項２４】
移動局を位置推定する方法であって、
前記移動局の第1の無線モードを選択することと；
１つ以上の識別可能な基地局との通信を実行できる１つ以上の第１の無線モードチャネルをロギングすることと、
なお前記ロギングすることは、前記第１の無線モードチャネルが属する１つ以上のネットワークプロバイダと関係なく、
前記第１の無線モードの直前に選択されていないチャネルを選択することと、
基地局アクティビティに対して、前記第１の無線モードの前記直前に選択されていないチャネルを能動的または受動的に監視することと、
前記第１の無線モードの前記直前に選択されていないチャネルを能動的または受動的に監視することの結果をロギングすることと、そして
前記第１の無線モードの実質的に全てのチャネルが選択されるまで、前記選択すること、監視すること及びロギングすることを繰り返すことと、を含む；
前記移動局の地理的位置を、前記ロギングされた１つ以上の第１の無線モードチャネルを用いて確立することと；
を含む方法。
【請求項２５】
前記ロギングされた１つ以上の第１の無線モードチャネルを用いて、前記移動局の地理的位置を確立することは、
前記ロギングされた１つ以上の第１の無線モードチャネルに少なくとも一部基づいて三角測量演算を実行すること、
を含む請求項２４に記載の方法。
【請求項２６】
前記ロギングされた１つ以上の第１の無線モードチャネルを用いて、前記移動局の地理的位置を確立することは、
第１の選択された周波数帯域から得られた第１のチャネル及び第２の選択された周波数帯域から得られた第２のチャネルに少なくとも一部基づいて、三角測量演算を実行すること、
を含む請求項２４に記載の方法。
【請求項２７】
前記ロギングされた１つ以上の第１の無線モードチャネルを用いて、前記移動局の地理的位置を確立することは、
直前に選択された周波数帯域から得られた第１のチャネル及び第２のチャネルに少なくとも一部基づいて三角測量演算を実行すること、
を含む請求項２４に記載の方法。
【請求項２８】
前記ロギングされた１つ以上の第１の無線モードチャネルを用いて、前記移動局の地理的位置を確立することは、
前記移動局の第２の無線モードを選択することと；
１つ以上の識別可能な基地局との通信を実行できる１つ以上の第２の無線モードチャネルをロギングすることと、なお、前記ロギングすることは、前記第２の無線モードチャネルが属する１つ以上のネットワークプロバイダと関係ない；
前記移動局の地理的位置を、前記ロギングされた１つ以上の第２の無線モードチャネルと前記ロギングされた１つ以上の第１の無線モードチャネルとを用いて確立することと；
を含む請求項２４に記載の方法。
【請求項２９】
移動局を位置推定する方法であって、
前記移動局の第1の無線モードを選択することと；
１つ以上の識別可能な基地局との通信を実行できる１つ以上の第１の無線モードチャネルをロギングすることと、なお前記ロギングすることは、前記第１の無線モードチャネルが属する１つ以上のネットワークプロバイダと関係ない；そして
前記移動局の地理的位置を、前記ロギングされた１つ以上の第１の無線モードチャネルを用いて確立することと；
を含み、
前記確立することは、
第２の無線モードの直前に選択されていないチャネルを選択することと；
基地局アクティビティに対して、前記第２の無線モードの前記直前に選択されていないチャネルを能動的または受動的に監視することと；
前記第２の無線モードの前記直前に選択されていないチャネルを能動的または受動的に監視することの結果をロギングすることと；そして
前記第２の無線モードの実質的に全てのチャネルが選択されるまで、前記選択すること、監視すること及びロギングすることを繰り返すことと；
を含む、
方法。
【請求項３０】
前記移動局の地理的位置を、前記ロギングされた１つ以上の第１の無線モードチャネルを用いて確立することは、
前記ロギングされた１つ以上の第１の無線モードチャネルに少なくとも一部基づいて三角測量演算を実行すること、
を含む請求項２９に記載の方法。
【請求項３１】
前記移動局の地理的位置を、前記ロギングされた１つ以上の第１の無線モードチャネルを用いて確立することは、
第１の選択された周波数帯域から得られた第１のチャネル及び第２の選択された周波数帯域から得られた第２のチャネルに少なくとも一部基づいて、三角測量演算を実行すること、
を含む請求項２９に記載の方法。
【請求項３２】
前記移動局の地理的位置を、前記ロギングされた１つ以上の第１の無線モードチャネルを用いて確立することは、
直前に選択された周波数帯域から得られた第１のチャネル及び第２のチャネルに少なくとも一部基づいて三角測量演算を実行すること、
を含む請求項２９に記載の方法。
【請求項３３】
前記移動局の地理的位置を、前記ロギングされた１つ以上の第１の無線モードチャネルを用いて確立することは、
前記移動局の第２の無線モードを選択することと；
１つ以上の識別可能な基地局との通信を実行できる１つ以上の第２の無線モードチャネルをロギングすることと、なお、前記ロギングすることは、前記第２の無線モードチャネルが属する１つ以上のネットワークプロバイダと関係ない；
前記移動局の地理的位置を、前記ロギングされた１つ以上の第２の無線モードチャネルと前記ロギングされた１つ以上の第１の無線モードチャネルとを用いて確立することと；
を含む請求項２９に記載の方法。
【請求項３４】
移動局を位置推定するシステムであって、
前記移動局の第１の無線モードを選択する手段と；
１つ以上の識別可能な基地局との通信を実行できる１つ以上の第１の無線モードチャネルをロギングする手段と、
なお、前記ロギングすることは、前記第１の無線モードチャネルが属する１つ以上のネットワークプロバイダと関係なく、前記ロギングする手段は
前記第１の無線モードの直前に選択されていないチャネルを選択する手段と、
基地局アクティビティに対して、前記第１の無線モードの前記直前に選択されていないチャネルを能動的または受動的に監視する手段と、
前記第１の無線モードの前記直前に選択されていないチャネルを能動的または受動的に監視する手段の結果をロギングする手段と、そして
前記第１の無線モードの実質的に全てのチャネルが選択されるまで、前記選択する手段、監視する手段及びロギングする手段を作動させる手段と、を備える；
そして
前記移動局の地理的位置を、前記ロギングされた１つ以上の第１の無線モードチャネルを用いて確立する手段と；
を備えるシステム。
【請求項３５】
前記１つ以上の識別可能な基地局との通信を実行できる１つ以上の第１の無線モードチャネルをロギングする手段は、前記ロギングすることが、前記第１の無線モードチャネルが属する１つ以上のネットワークプロバイダと関係なく、
前記第１の無線モードの直前に選択されていないチャネルを選択する手段と、
基地局アクティビティに対して、前記第１の無線モードの前記直前に選択されていないチャネルを能動的または受動的に監視する手段と、
前記第１の無線モードの前記直前に選択されていないチャネルを能動的または受動的に監視する手段の結果をロギングする手段と、そして
前記第１の無線モードの実質的に全てのチャネルが選択されるまで、前記選択する手段、監視する手段及びロギングする手段を作動させる手段と、
を備える請求項３４に記載のシステム。
【請求項３６】
前記移動局の地理的位置を、前記ロギングされた１つ以上の第１の無線モードチャネルを用いて確立する手段は、
前記ロギングされた１つ以上の第１の無線モードチャネルに少なくとも一部基づいて三角測量演算を実行する手段を、
備える請求項３４に記載のシステム。
【請求項３７】
移動局を位置推定するシステムであって、
前記移動局の第１の無線モードを選択する手段と；
１つ以上の識別可能な基地局との通信を実行できる１つ以上の第１の無線モードチャネルをロギングする手段と、なお、前記ロギングすることは、前記第１の無線モードチャネルが属する１つ以上のネットワークプロバイダと関係がない；そして
前記移動局の地理的位置を、前記ロギングされた１つ以上の第１の無線モードチャネルを用いて確立する手段と；
を備え、
前記確立する手段は、
前記移動局の第２の無線モードを選択する手段と；
１つ以上の識別可能な基地局との通信を実行できる１つ以上の第２の無線モードチャネルをロギングする手段と、なお、前記ロギングすることは、前記第２の無線モードチャネルが属する１つ以上のネットワークプロバイダと関係がない；
前記移動局の地理的位置を、前記ロギングされた１つ以上の第２の無線モードチャネルと前記ロギングされた１つ以上の第１の無線モードチャネルとを用いて確立する手段と；
前記第２の無線モードの直前に選択されていないチャネルを選択する手段と；
基地局アクティビティに対して、前記第２の無線モードの前記直前に選択されていないチャネルを能動的または受動的に監視する手段と；
前記第２の無線モードの前記直前に選択されていないチャネルを能動的または受動的に監視する手段の結果をロギングする手段と；そして
前記第２の無線モードの実質的に全てのチャネルが選択されるまで、前記選択する手段、監視する手段及びロギングする手段を作動させる手段と；
を備えるシステム。
【請求項３８】
前記１つ以上の識別可能な基地局との通信を実行できる１つ以上の第１の無線モードチャネルをロギングする手段は、前記ロギングすることが、前記第１の無線モードチャネルが属する１つ以上のネットワークプロバイダと関係なく、
前記第１の無線モードの直前に選択されていないチャネルを選択する手段と、
基地局アクティビティに対して、前記第１の無線モードの前記直前に選択されていないチャネルを能動的または受動的に監視する手段と、
前記第１の無線モードの前記直前に選択されていないチャネルを能動的または受動的に監視する手段の結果をロギングする手段と、そして
前記第１の無線モードの実質的に全てのチャネルが選択されるまで、前記選択する手段、監視する手段及びロギングする手段を作動させる手段と、
を備える請求項３７に記載のシステム。
【請求項３９】
前記移動局の地理的位置を、前記ロギングされた１つ以上の第１の無線モードチャネルを用いて確立する手段は、
前記ロギングされた１つ以上の第１の無線モードチャネルに少なくとも一部基づいて三角測量演算を実行する手段を、
備える請求項３７に記載のシステム。